(57)【要約】【課題】箱体内のケーブルドラムの空回りを確実に防止し、ケーブル布設作業性を大巾に向上させるケーブル収納装置を提供する。【解決手段】ケーブルを巻回する胴部２０とその両側の鍔部２２とからなるドラム１４と、ドラム１４を回転自在に収納し、上面に開閉蓋２８を有する箱体１６とを備えている。そして、箱体１６に、ドラム１４から引き出されたケーブルを挿通させるケーブル引出し孔３２を設け、ドラム１４の鍔部２２の外縁に、切欠き部を設け、箱体１６内に、切欠き部に係止される固定部材４０を配設したものである。固定部材４０として、箱体の開閉蓋に、切欠き部２６に係止する突起が用いられる。例えば、箱体１６の開閉蓋２８の一部を切断し折り曲げて形成された突起、あるいは、ドラム１４の軸体２４に反転自在に連結されたハンドル８２のノブ８４を利用した突起等が用いられる。【選択図】図１
2006143444.tif 000002
【特許請求の範囲】
【請求項１】
ケーブルを巻回する胴部とその両側の鍔部とからなるドラムと、
前記ドラムを回転自在に収納し、上面に開閉蓋を有する箱体とを備えたケーブル収納装置において、
前記箱体に、前記ドラムから引き出されたケーブルを挿通させるケーブル引出し孔を設け、
前記ドラムの鍔部の外縁に切欠き部を設け、
前記箱体内に、前記切欠き部に係止される固定部材を配設したことを特徴とするケーブル収納装置。
【請求項２】
請求項１に記載のケーブル収納装置において、
前記固定部材として、箱体の開閉蓋に、前記切欠き部に係止する突起を設けたことを特徴とするケーブル収納装置。
【請求項３】
請求項２に記載のケーブル収納装置において、
前記突起は、前記箱体の開閉蓋の一部を切断し折り曲げて形成したものであることを特徴とするケーブル収納装置。
【請求項４】
請求項１に記載のケーブル収納装置において、
前記固定部材として、前記ドラムの軸体に、反転自在に連結されたハンドルのノブを設けたことを特徴とするケーブル収納装置。
【請求項５】
請求項１ないし４のいずれかに記載のケーブル収納装置において、
前記ドラムおよび前記箱体は、段ボール部材により形成したものであることを特徴とするケーブル収納装置。
【請求項６】
請求項１ないし５のいずれかに記載のケーブル収納装置において、
前記ケーブルは、光ドロップケーブルであることを特徴とするケーブル収納装置。
【請求項７】
請求項１ないし６のいずれかに記載のケーブル収納装置において、
前記箱体の開閉蓋に、箱体内部を透視できる窓を設けたことを特徴とするケーブル収納装置。
【発明の詳細な説明】
【技術分野】
【０００１】
本発明は、ケーブルをドラム巻き状態で収納するケーブル収納装置に係わり、特に光ドロップケーブルを一般住宅やビルなどの加入者宅に引き込み配線するのに好適なケーブル収納装置に関する。
【背景技術】
【０００２】
光ファイバ通信網を一般住宅やビルなどの加入者宅にまで普及する構想が具体的に進んでおり、それに伴いかかる通信網の構築に必要な各種光ファイバケーブルの開発が続けられている。このうち、架空に布設される配線系ケーブルから一般加入者宅内へ引き込み配線するための光ファイバケーブル、いわゆる光ドロップケーブルがある（例えば、特許文献１参照）。
【０００３】
光ドロップケーブルは、一般住宅やビルなどの加入者系への光配線などに使用される光ファイバケーブルであり、光ファイバ心線と、この光ファイバ心線に並行に配置された、鋼線あるいはＦＲＰ（ガラス繊維強化プラスチック）などからなる抗張力体と、これらの外周に一括して押出被覆されたポリオレフィン系熱可塑性樹脂からなる外被とを備えたものである。
【０００４】
光ドロップケーブルは、光ファイバ心線と抗張力線とが並列に配置されていることから、可撓性や重量の点で問題があり、配線工事時に、光ファイバ心線に歪みが生じたり、光ファイバの伝送特性が低下しないように十分に配慮する必要がある。
【０００５】
一方、光ファイバケーブルをドラムに巻き付けた状態でドラム毎収納する箱体からなるケーブル用梱包箱が知られている（例えば、特許文献２参照）。このケーブル用梱包箱は、本願発明者の発明に係わるものであり、使用するときにはドラムを箱体内に収納したままでケーブルの一端を箱体の貫通孔を通じて牽引することによりドラムを回転させてケーブルを箱体の外に順次引き出せるようにしたものである。
【０００６】
さらに、ドラムが空回りしてケーブルの巻取りが乱れることのないようにするために、ドラム鍔の外側に補強用側板を配置し、ドラム鍔と補強用側板とを適宜接触させてドラム回転時の摩擦力を制御可能とした構造のものである。
【特許文献１】特開２００４−６９８２８号公報
【特許文献２】特開２００４−２１７３５４公報
【発明の開示】
【発明が解決しようとする課題】
【０００７】
ところで、上記の技術には、次のような解決すべき課題があった。
上記したドラム鍔の外側に補強用側板を配置した構造のケーブル用梱包箱は、ドラム鍔と補強用側板との接触摩擦力だけでは光ドロップケーブルを収納した場合にはドラムの空回りを十分には防止できないという課題がある。
【０００８】
運搬や保管時等の未使用時にドラムが空回りしたときは、箱体内でケーブルの巻取りが乱れる。巻取りが乱れたままケーブルを引き出した場合、ケーブルが絡まったり痛めたりするおそれがあるので、ドラムからの引出し作業前にケーブル巻き乱れを手直しする等の予備作業を行っていた。
また、使用後に余分に引き出したケーブルをドラムに巻き戻すときに梱包箱を開いてドラムを手で逆転する等の作業を行わなければならない。
【０００９】
本発明は、以上の点に着目してなされたもので、箱体内のケーブルドラムの空回りを確実に防止し、ケーブル布設作業性を大巾に向上させるケーブル収納装置を提供することを目的とする。
【課題を解決するための手段】
【００１０】
本発明の各実施例においては、それぞれ次のような構成により上記の課題を解決する。
〈構成１〉
ケーブルを巻回する胴部とその両側の鍔部とからなるドラムと、上記ドラムを回転自在に収納し、上面に開閉蓋を有する箱体とを備えたケーブル収納装置において、上記箱体に、上記ドラムから引き出されたケーブルを挿通させるケーブル引出し孔を設け、上記ドラムの鍔部の外縁に切欠き部を設け、上記箱体内に、上記切欠き部に係止される固定部材を配設したことを特徴とするケーブル収納装置。
【００１１】
ドラムの鍔部の外縁に設けられた切欠き部に、固定部材を係止することによって、ケーブルの巻き乱れを阻止し、ケーブルの巻き乱れによるケーブルの絡まりやケーブルの損傷等を防止できる。
【００１２】
〈構成２〉
構成１に記載のケーブル収納装置において、上記固定部材として、箱体の開閉蓋に、上記切欠き部に係止する突起を設けたことを特徴とするケーブル収納装置。
【００１３】
開閉蓋が閉まった状態では突起がドラム鍔部の切欠き部に係止してドラムの空回りを阻止しケーブルの巻き乱れを防止できる。開閉蓋が開いた状態では突起が同切欠き部から離れるので、ドラムが回転可能な状態となり、ドラムからのケーブル引出しができる。
【００１４】
〈構成３〉
構成２に記載のケーブル収納装置において、上記突起は、上記箱体の開閉蓋の一部を切断し折り曲げて形成したものであることを特徴とするケーブル収納装置。
【００１５】
開閉蓋の一部で突起を形成しているので、材料の無駄がなく製造コストをおさえることができる。また、突起を必要としないときは、切断端を実線の切れ目から解放し元の位置に納めて開閉蓋を平坦にしておくことができる。
【００１６】
〈構成４〉
構成１に記載のケーブル収納装置において、上記固定部材として、上記ドラムの軸体に、反転自在に連結されたハンドルのノブを設けたことを特徴とするケーブル収納装置。
【００１７】
ハンドルのノブがドラム鍔部の切欠き部に係止されたときは、固定部材として機能してドラムの空回りを阻止しケーブルの巻き乱れを防止できる。ハンドルを反転したときは、ノブを使って余分に引き出したケーブルを簡単にドラムに巻き戻すことができる。
【００１８】
〈構成５〉
構成１ないし４のいずれかに記載のケーブル収納装置において、上記ドラムおよび上記箱体は、段ボール部材により形成したものであることを特徴とするケーブル収納装置。
【００１９】
前記ドラムおよび前記箱体を構成する材料として、市販の段ボール部材を使用することにより、安価で組立て解体が容易となる。
【００２０】
〈構成６〉
構成１ないし５のいずれかに記載のケーブル収納装置において、上記ケーブルは、光ドロップケーブルであることを特徴とするケーブル収納装置。
【００２１】
巻き乱れによる絡まりや損傷等に細心の配慮の必要な光ドロップケーブルの収納、引出し等に適用した場合は、ドラムが固定部材により堅固に押えられて巻き乱れを確実に阻止されていることから、引出し作業開始前の準備作業を大巾に省略できるので、ケーブル布設作業性が著しく向上する。
【００２２】
〈構成７〉
構成１ないし６のいずれかに記載のケーブル収納装置において、上記箱体の開閉蓋に、箱体内部を透視できる窓を設けたことを特徴とするケーブル収納装置。
【００２３】
ドラムへのケーブル巻取り状態を開閉蓋を閉めたまま容易に確認できる。
【発明を実施するための最良の形態】
【００２４】
以下、本発明の実施の形態を実施例毎に詳細に説明する。
【実施例１】
【００２５】
図１ないし図１５は実施例１のケーブル収納装置を示す図で、図１は同ケーブル収納装置を、箱体上面を開口して示す平面図、図２は同ケーブル収納装置の側面図、図３は同ケーブル収納装置の正面図である。
【００２６】
図１ないし図３に示すように、実施例１のケーブル収納装置１２は、段ボール部材により形成された、ドラム１４と箱体１６とを備えている。
ドラム１４は、図４および図５に示すように、例えば、光ドロップケーブルのような配線系光ファイバケーブルや電線等の配線系のケーブル１８を巻回する胴部２０とその両側の鍔部２２とから構成されている。ドラム１４の鍔部２２の外縁の４箇所に、切欠き部２６が設けられている。ドラム１４の軸心には図６および図７に示す円筒状の軸体２４が嵌入され、胴部２０を支承している。
【００２７】
箱体１６は、段ボール部材により、ドラム１４を収納できる大きさの六面体に形成されている。箱体１６の上面に、開閉蓋２８とその両側に上面フラップ３０とが設けられている。箱体１６の前面に、ケーブル引出し孔３２とケーブル差込み孔３４とが互いに隣接した位置に設けられている。ケーブル引出し孔３２はドラム胴部２０に沿う横長の窓状に形成され、ケーブル差込み孔３４は、１本のケーブル１８が差込める程度の大きさの円形に形成されている。
【００２８】
ドラム１４の両鍔部２２の各外面と箱体１６との間に、段ボール部材により形成された補強用側板３６が挿置されている。補強用側板３６は、箱体１６の側面とほぼ同じ大きさであり、図８、図９にも示すように、中心に軸孔３８を有する四辺形の平板状に形成されている。補強用側板３６の軸孔３８に軸体２４が嵌入され、ドラム１４を回転可能に支承している。補強用側板３６は、ドラム１４の両鍔部２２の各外面に接するように配置され、ドラム１４の回転に対して常時所定の摩擦力（ブレーキ力）を付与するものである。
【００２９】
箱体１６の開閉蓋２８に、切欠き部２６に係止される固定部材が設けられている。図１に示す固定部材４０は、箱体１６の開閉蓋２８の一部を加工して形成された突起である。
なお、固定部材としては、図１に示した突起４０の他に、図示を省略するが、箱体１６とは別個に加工されて開閉蓋２８の裏面に装着されたもの、あるいは、箱体１６とは別個に加工されて開閉蓋２８に固定せずに、フリー状態で切欠き部２６に係止されて開閉蓋２８を閉めたときの押圧力で押えられるものでもよい。
【００３０】
開閉蓋２８の一部を加工して突起４０を形成する方法を、各過程毎に示した図１０ないし図１５に基づいて説明する。
先ず、図１０に示すように、開閉蓋２８の裏面に、実線４２、４４と破線４６、４８、５０を描く等をして表示する。２本の実線４２と４４は切断線を示し、３本の破線４６、４８、５０は折曲げ線を示している。
次に、実線４２と実線４４に沿って切断し、図１１に示すように破線４６に沿って谷折りして切断端５２を持ち上げる。
次に、図１２に示すように破線４８に沿って山折りし、破線５０に沿って谷折りする。
最後に、図１３に示すように切断端５２の隅部５４を、実線４４の切れ目に差し込むことにより、切断端５２を固定する。
このように組み立てることによって、図１４に示すように開閉蓋２８の裏面のほぼ中央部において破線４８に沿う部分が立ち上がり、突起４０の尖端部を形成することになる。
【００３１】
なお、切断端５２の固定部は、図示のように片側だけでなく、必要に応じて切断端５２の両側に設けられるようにしてもよい。また、突起４０およびこれを受け入れる切欠き部２６は、横断面が三角形のものを例示したが、本発明ではこれに限られず、横断面が四角形その他の形状でもかまわない。
【００３２】
実施例１のケーブル収納装置１２を使用する際に、箱体１６内のドラム１４から引き出されるケーブル１８は、ケーブル引出し孔３２を挿通されて順次外部に引き出される。必要な長さのケーブルを引出した後は、切断される。収納装置１２に残ったケーブルの端部は、図２に示すように箱体１６に設けられた、ケーブル差込み孔３４に差し込まれて押えられる。
【００３３】
ケーブル収納装置１２は、開閉蓋２８が閉まった状態では、突起４０がドラム１４の鍔部２２の切欠き部２６に係止してドラム１４の空回りをしっかりと阻止し、ケーブルの巻き乱れを確実に防止する。開閉蓋２８が開いた状態では、突起４０が同切欠き部２６から離れるので、ドラム１４が回転可能な状態となりドラム１４からのケーブル引出しが可能になる。
【００３４】
この実施例では突起４０を開閉蓋２８の一部で形成しているので、材料の無駄がなく製造コストをおさえることができる。また、突起４０を必要としないときは、切断端５２を実線４４の切れ目から解放し元の位置に納めて開閉蓋を平坦にしておくことができる。
【実施例２】
【００３５】
図１５ないし図２９は実施例２のケーブル収納装置を示す図で、図１５は同ケーブル収納装置を、箱体上面を開口して示す平面図、図１６は同ケーブル収納装置の側面図、図１７は同ケーブル収納装置の正面図である。
【００３６】
図１５ないし図１７に示すように、実施例２のケーブル収納装置５６は、段ボール部材により形成されたドラム５８と箱体６０とを備えている。
ドラム５８は、図１８、図１９に示すように、ケーブル６２を巻回する胴部６４とその両側の鍔部６６とから構成されている。ドラム５８の鍔部６６の外縁の１箇所に、半円状の切欠き部７０が設けられている。ドラム５８の軸心には図２０および図２１に示す円筒状の軸体６８が嵌入され、胴部６４を支承している。
【００３７】
箱体６０は、段ボール部材により、ドラム５８を収納できる大きさの六面体に形成されている。箱体６０の上面に、開閉蓋７２とその両側に上面フラップ７４が設けられている。開閉蓋７２の中央部に、箱体６０の内部を透視できる細長の窓８０が設けられている。箱体６０の前面には、ケーブル引出し孔７６とケーブル差込み孔７８とが接近した位置に設けられている。
【００３８】
箱体６０の側面に、ドラム５８の軸体６８に連結されたハンドル８２が設けられている。ハンドル８２の一端はドラム５８の軸体６８に反転自在に連結されている。ハンドル８２の他端には外方に突出するノブ８４が設けられている。
【００３９】
ノブ８４は、箱体６０の外面に向いているときはドラム５８を回転させるためのハンドル８２の把手であり、余分に引き出したケーブル端部をドラム５８に巻き戻すとき等に使用される。
ハンドル８２が反転してノブ８４を箱体６０の内方に没入させて切欠き部７０に係止しているときは、ドラム５８の空回りを防止させる機能を有するもの、すなわち固定部材として利用される。このノブ８４については後で詳しく説明する。
【００４０】
ドラム５８の両鍔部６６の各外面と箱体６０との間に、段ボール部材により形成された補強用側板８６が挿置されている。補強用側板８６は、箱体６０の側面とほぼ同じ大きさのほぼ四辺形の平板状に形成されている。
【００４１】
補強用側板８６は、図２２、図２３にも示すように、中心に軸孔８８が設けられ、上方片側に貫通孔９０が設けられている。補強用側板８６の軸孔８８に軸体６８が嵌入され、ドラム５８を回転可能に支承している。貫通孔９０はノブ８４を挿通させるための孔である。補強用側板８６は、ドラムの両鍔部６６の各外面に接するように配置され、ドラム５８の回転に対して常時所定の摩擦力（ブレーキ力）を付与している。
【００４２】
図２４ないし図２６は、実施例２のケーブル収納装置の使用時の説明図である。
これらの図に示すように、ケーブル収納装置５６の使用時にはハンドル８２のノブ８４は箱体６０の外面に向けて置くようにされる。このときはドラム５８は回転自在であり、ケーブル６２を任意長引き出すことができる。必要な長さのケーブルを引出した後は、そのケーブルは切断される。切断されてドラム５８側に残ったケーブルの先端部は、箱体６０に設けられた、ケーブル差込み孔７８に差し込まれて保持される。
【００４３】
図２７ないし図２９は、ケーブル収納装置５６の運搬、保管時の説明図である。
これらの図に示すように、ケーブル収納装置５６の運搬、保管時には、ハンドル８２が軸体６８との連結部を支点として反転され、ノブ８４が補強用側板８６の貫通孔９０を通じてドラム鍔部６６の切欠き部７０に嵌入される。このときはドラム５８の回転が阻止され、ドラム５８の空回りが防止される。
【００４４】
上述した箱体１６、６０、ドラム１４、５８、補強用側板３６、８６を構成する材料は、段ボール部材に限定することなく耐久性等を考慮してプラスチックや金属等任意の材料を構成材料の一部または全体に用いることもできる。
【００４５】
ケーブル１８、６２として、光ドロップケーブルを適用した場合は、ドラム１４、５８の回転が固定部材４０により堅固に押えられているので、光ドロップケーブルの巻き乱れを確実に阻止し、光ドロップケーブルの巻き乱れによる絡まりや光ドロップケーブルの損傷等を防止されることから、ケーブル布設作業性が著しく向上する。
【００４６】
以上、本発明のケーブル収納装置によれば、ケーブルを箱体からドラム毎取り出し、繰出し用の架台等準備するなどして布設する必要がなく、必要長のみ取り出して使用できること、布設工事の際に余分に取り出してしまったケーブルを素早く巻き戻しして収納、再利用できること、輸送中にドラムに巻回されたケーブルがばらけてしまうことを確実に防止できる等のメリットが得られる。
【図面の簡単な説明】
【００４７】
【図１】実施例１のケーブル収納装置を、箱体上面を開口して示す平面図。
【図２】同ケーブル収納装置の側面図。
【図３】同ケーブル収納装置の正面図。
【図４】同ケーブル収納装置を構成するドラムを示す正面図。
【図５】同側面図。
【図６】同ケーブル収納装置を構成する軸体を示す正面図。
【図７】同側面図。
【図８】同ケーブル収納装置を構成する補強用側板を示す正面図。
【図９】同側面図。
【図１０】箱体上面に突起を形成する第１の過程を示す説明図。
【図１１】箱体上面に突起を形成する第２の過程を示す説明図。
【図１２】箱体上面に突起を形成する第３の過程を示す説明図。
【図１３】箱体上面に突起を形成する第４の過程を示す説明図。
【図１４】箱体上面に突起を形成する第５の過程を示す説明図。
【図１５】実施例２のケーブル収納装置を、箱体上面を開口して示す平面図。
【図１６】同ケーブル収納装置の側面図。
【図１７】同ケーブル収納装置の正面図。
【図１８】同ケーブル収納装置を構成するドラムを示す正面図。
【図１９】同側面図。
【図２０】同ケーブル収納装置を構成する軸体を示す正面図。
【図２１】同側面図。
【図２２】同ケーブル収納装置を構成する補強用側板を示す正面図。
【図２３】同側面図。
【図２４】同ケーブル収納装置の使用状況を平面から示す説明図。
【図２５】同ケーブル収納装置の使用状況を正面から示す説明図。
【図２６】同ケーブル収納装置の使用状況を側面から示す説明図。
【図２７】同ケーブル収納装置のドラム固定状況を平面から示す説明図。
【図２８】同ケーブル収納装置のドラム固定状況を正面から示す説明図。
【図２９】同ケーブル収納装置のドラム固定状況を側面から示す説明図。
【符号の説明】
【００４８】
１２  ケーブル収納装置
１４  ドラム
１６  箱体
１８  光ドロップケーブル
２０  胴部
２２  鍔部
２４  軸体
２６  切欠き部
２８  開閉蓋
３０  上面フラップ
３２  ケーブル引出し孔
３４  ケーブル差込み孔
３６  補強用側板
３８  軸孔
４０  固定部材（突起）
【図１】
2006143444.tif 000003
【図２】
2006143444.tif 000004
【図３】
2006143444.tif 000005
【図４】
2006143444.tif 000006
【図５】
2006143444.tif 000007
【図６】
2006143444.tif 000008
【図７】
2006143444.tif 000009
【図８】
2006143444.tif 000010
【図９】
2006143444.tif 000011
【図１０】
2006143444.tif 000012
【図１１】
2006143444.tif 000013
【図１２】
2006143444.tif 000014
【図１３】
2006143444.tif 000015
【図１４】
2006143444.tif 000016
【図１５】
2006143444.tif 000017
【図１６】
2006143444.tif 000018
【図１７】
2006143444.tif 000019
【図１８】
2006143444.tif 000020
【図１９】
2006143444.tif 000021
【図２０】
2006143444.tif 000022
【図２１】
2006143444.tif 000023
【図２２】
2006143444.tif 000024
【図２３】
2006143444.tif 000025
【図２４】
2006143444.tif 000026
【図２５】
2006143444.tif 000027
【図２６】
2006143444.tif 000028
【図２７】
2006143444.tif 000029
【図２８】
2006143444.tif 000030
【図２９】
2006143444.tif 000031